(57)【要約】【課題】遠隔操作アプリの管理を容易に行う。【解決手段】ＭＦＰ１００（電子機器）により、電波を一定出力で送信し、携帯端末２００により、電波を受信し、ＭＦＰ１００（電子機器）との距離に応じた電波の強度の変化に合わせ、ＭＦＰ１００（電子機器）に対応した遠隔操作アプリがインストールされているかどうかを確認し、遠隔操作アプリがインストールされていない場合、ＭＦＰ１００（電子機器）に対応した遠隔操作アプリをダウンロードする。これにより、ＭＦＰ１００（電子機器）に対応した遠隔操作アプリを、ＭＦＰ１００（電子機器）との距離に応じた電波の強度の変化に合わせて自動的にダウンロードでき、遠隔操作アプリを意識せずに更新できる。【選択図】図１
2019106620.tif 000002
【特許請求の範囲】
【請求項１】
電波を一定出力で送信する電子機器と、
前記電波を受信し、前記電子機器との距離に応じた前記電波の強度の変化に合わせ、前記電子機器に対応した遠隔操作アプリケーションがインストールされているかどうかを確認し、前記遠隔操作アプリケーションがインストールされていない場合、前記電子機器に対応した遠隔操作アプリケーションをダウンロードする携帯端末とを備える
ことを特徴とするインストールシステム。
【請求項２】
前記電波は、無線通信での第１のアクセス情報と、遠隔操作アプリケーションをダウンロードするＷｅｂページの第２のアクセス情報とを含み、
前記携帯端末は、
前記受信した電波の強度の変化を、第１のレベル〜第３のレベル（第１のレベル＜第２のレベル＜第３のレベル）の３段階で判断し、
前記第１のレベルのとき、前記第１のアクセス情報に基づき、前記電子機器から機器情報を受け取り、前記機器情報に該当する前記遠隔操作アプリケーションがインストールされているかどうかを確認し、
前記第２のレベルのとき、前記遠隔操作アプリケーションがインストールされていなければ、前記第２のアクセス情報に基づき、前記遠隔操作アプリケーションをダウンロードしてインストールし、
前記第３のレベルのとき、前記遠隔操作アプリケーションの手順に従った遠隔操作の設定内容を前記電子機器に送信する
ことを特徴とする請求項１に記載のインストールシステム。
【請求項３】
前記携帯端末は、
前記第２のレベルのとき、前記インストールした遠隔操作アプリケーションを起動させ、遠隔操作の設定内容を受け付ける
ことを特徴とする請求項２に記載のインストールシステム。
【請求項４】
電子機器により、電波を一定出力で送信する工程と、
携帯端末により、前記電波を受信し、前記電子機器との距離に応じた前記電波の強度の変化に合わせ、前記電子機器に対応した遠隔操作アプリケーションがインストールされているかどうかを確認し、前記遠隔操作アプリケーションがインストールされていない場合、前記電子機器に対応した遠隔操作アプリケーションをダウンロードする工程とをインストールシステムを制御するコンピューターに実行させる
ことを特徴とするインストールプログラム。
【発明の詳細な説明】
【技術分野】
【０００１】
本発明は、画像形成装置の遠隔操作アプリケーションの管理に適したインストールシステム及びインストールプログラムに関する。
【背景技術】
【０００２】
たとえば、多機能プリンターや、ＭＦＰ(Multifunction Peripheral)等の画像形成装置においては、印刷機能、コピー機能、ＦＡＸ機能、ネットワーク経由でのデータ送受信機能に加え、スマートフォン等の携帯端末との間でのデータのやり取りを行う無線通信機能を備えた機種がある。また、このような画像形成装置では、機密情報の漏洩防止の観点等から、ログイン処理でのユーザー認証を行う機能を搭載している機種もある。なお、ユーザー認証では、ユーザーＩＤ(IDentification)や、パスワード等の認証情報の入力が必要となる。
【０００３】
また、このような画像形成装置では、省電力モードを設定しておくことで、ユーザーによる使用が一定時間無い場合、通常モードからスリープモード、又は電源OFFモードへ移行するので、電力消費の抑制も可能である。ところで、たとえば電源OFFモードに移行している画像形成装置を使用する場合、パネル部にて通常モードへの移行を指示することになるが、印刷、又はコピーを行う場合、定着部の温度が規定値に達するまで待たされることになる。
【０００４】
このような不便さを解消する場合、たとえば特許文献１が示している電力供給制御装置での検出方法を適用することが考えられる。すなわち、この電力供給制御装置は、電力供給状態遷移制御手段により、複数の被動作部を、消費電力が異なる複数の電力供給状態に遷移させ、第１の移動体検出手段により、第１の検出範囲に移動体が進入したか否かを検出し、第２の移動体検出手段により、第１の検出範囲より狭い範囲内に移動体が進入したか否かを検出する。そして、電力供給状態遷移制御手段は、第１の移動体検出手段が移動体を検出した場合に、被動作部の内、画像形成部を電力供給状態に遷移させ、第２の移動体検出手段が第１の検出範囲より狭い範囲内に進入した移動体を検出した場合に、被動作部の内、表示部を電力供給状態に遷移させる。
【先行技術文献】
【特許文献】
【０００５】
【特許文献１】特開２０１５−０３５８２８号公報
【発明の概要】
【発明が解決しようとする課題】
【０００６】
上述した特許文献１の電力供給制御装置では、移動体の検出範囲と被動作部の起動時期とに相関を持たせることで、移動体の検出範囲に応じて被動作部の起動を行わせることができる。
【０００７】
このような特許文献１の電力供給制御装置での検出方法を、上述した画像形成装置に適用すると、任意の検出範囲で移動体を検出できた場合、定着部の温度を規定値まで上昇させるようにすると、定着部の温度が規定値に達するまで待たされることがなくなる。
【０００８】
ところで、画像形成装置には、遠隔操作を可能とする遠隔操作アプリケーション(以下、遠隔操作アプリという)が用意されている。そこで、この遠隔操作アプリをスマートフォン等の携帯端末に事前にインストールしておくことで、画像形成装置が搭載している上述した印刷機能、コピー機能、ＦＡＸ機能、スキャナー機能、ネットワーク経由でのデータ送受信機能のいずれかを遠隔操作できる。
【０００９】
ところが、遠隔操作アプリを携帯端末にインストールしておいた場合であっても、画像形成装置の機種が異なったり、ファームウェアのバージョンが異なったりすると、画像形成装置の遠隔操作を行うことができないこともある。この場合、前もって遠隔操作アプリを意識的に更新しておく必要があり、遠隔操作アプリの管理が煩わしいという問題がある。
【００１０】
本発明は、このような状況に鑑みてなされたものであり、上記問題点を解消することができるインストールシステム及びインストールプログラムを提供することを目的とする。
【課題を解決するための手段】
【００１１】
本発明のインストールシステムは、電波を一定出力で送信する電子機器と、前記電波を受信し、前記電子機器との距離に応じた前記電波の強度の変化に合わせ、前記電子機器に対応した遠隔操作アプリケーションがインストールされているかどうかを確認し、前記遠隔操作アプリケーションがインストールされていない場合、前記電子機器に対応した遠隔操作アプリケーションをダウンロードする携帯端末とを備えることを特徴とする。
また、前記電波は、無線通信での第１のアクセス情報と、遠隔操作アプリケーションをダウンロードするＷｅｂページの第２のアクセス情報とを含み、前記携帯端末は、前記受信した電波の強度の変化を、第１のレベル〜第３のレベル（第１のレベル＜第２のレベル＜第３のレベル）の３段階で判断し、前記第１のレベルのとき、前記第１のアクセス情報に基づき、前記電子機器から機器情報を受け取り、前記機器情報に該当する前記遠隔操作アプリケーションがインストールされているかどうかを確認し、前記第２のレベルのとき、前記遠隔操作アプリケーションがインストールされていなければ、前記第２のアクセス情報に基づき、前記遠隔操作アプリケーションをダウンロードしてインストールし、前記第３のレベルのとき、前記遠隔操作アプリケーションの手順に従った遠隔操作の設定内容を前記電子機器に送信することを特徴とする。
また、前記携帯端末は、前記第２のレベルのとき、前記インストールした遠隔操作アプリケーションを起動させ、遠隔操作の設定内容を受け付けることを特徴とする。
本発明のインストールプログラムは、電子機器により、電波を一定出力で送信する工程と、携帯端末により、前記電波を受信し、前記電子機器との距離に応じた前記電波の強度の変化に合わせ、前記電子機器に対応した遠隔操作アプリケーションがインストールされているかどうかを確認し、前記遠隔操作アプリケーションがインストールされていない場合、前記電子機器に対応した遠隔操作アプリケーションをダウンロードする工程とをインストールシステムを制御するコンピューターに実行させることを特徴とする。
本発明のインストールシステム及びインストールプログラムでは、電子機器により、電波を一定出力で送信し、携帯端末により、電波を受信し、電子機器との距離に応じた電波の強度の変化に合わせ、電子機器に対応した遠隔操作アプリケーションがインストールされているかどうかを確認し、遠隔操作アプリケーションがインストールされていない場合、電子機器に対応した遠隔操作アプリケーションをダウンロードする。なお、電子機器に対応した遠隔操作アプリケーションとは、電子機器の機種やファームウェアのバージョン等に適合し、使用に際して問題を生じないアプリケーションを意味する。
これにより、電子機器に対応した遠隔操作アプリケーションを、電子機器との距離に応じた電波の強度の変化に合わせて自動的にダウンロードできるため、遠隔操作アプリケーションを意識せずに更新できる。
【発明の効果】
【００１２】
本発明のインストールシステム及びインストールプログラムによれば、電子機器に対応した遠隔操作アプリケーションを、電子機器との距離に応じた電波の強度の変化に合わせて自動的にダウンロードでき、遠隔操作アプリケーションを意識せずに更新できるので、遠隔操作アプリケーションの管理を容易に行うことができる。
【図面の簡単な説明】
【００１３】
【図１】本発明のインストールシステムの一実施形態を説明するための図である。
【図２】図１のＭＦＰ、及び携帯端末の構成の一例について説明するための図である。
【図３】図２の携帯端末のシステム制御部がＭＦＰまでの距離を判断する際に参照する距離判断グラフの一例を示す図である。
【図４】図２の携帯端末側での遠隔操作アプリのインストール等の処理について説明するためのフローチャートである。
【発明を実施するための形態】
【００１４】
以下、本発明のインストールシステムの一実施形態を、図１〜図４を参照しながら説明する。なお、以下の説明においての電子機器の一例としては、たとえば印刷機能、コピー機能、ＦＡＸ機能、ネットワーク経由でのデータ送受信機能等を搭載した複合的な周辺機器であるＭＦＰ（Multifunction Peripheral）であるものとする。
【００１５】
まず、図１に示すように、インストールシステムは、ＭＦＰ１００、及び携帯端末２００を備えている。ＭＦＰ１００は、詳細については後述するが、ＩＰ（Internet Protocol）アドレスや、ＵＲＬ（uniform resource locator）等のアクセス情報を含むＢＬＥ（Bluetooth （登録商標）Low Energy：以下、ビーコン信号という）を発信する。なお、ＩＰアドレスはＭＦＰ１００に対するアクセス情報であり、ＵＲＬは後述の遠隔操作アプリケーションをダウンロードするＷｅｂページのアクセス情報である。
【００１６】
携帯端末２００には、詳細については後述するが、ＭＦＰ１００との間で無線通信を可能とする無線通信アプリケーション（以下、無線通信アプリという）がインストールされているものとする。なお、無線通信としては、無線ＬＡＮ(Local Area Network)のWi-Fi（登録商標）、Wi-Fi Direct（登録商標）、近距離通信のBluetooth（登録商標）等のいずれかの通信方式を用いることができる。また、携帯端末２００は、詳細については後述するが、ＭＦＰ１００からのビーコン信号を受信すると、ＭＦＰ１００を遠隔操作できる遠隔操作アプリケーション(以下、遠隔操作アプリという)がインストールされているかどうかを確認する。携帯端末２００は、遠隔操作アプリがインストールされていない場合、ビーコン信号に含まれているＵＲＬが示すＷｅｂページから遠隔操作アプリをダウンロードし、さらにインストールする。
【００１７】
ここで、携帯端末２００は、詳細については後述するが、ＭＦＰ１００からの距離がたとえば２０ｍ程度に到達すると、無線通信アプリがＭＦＰ１００の機器情報を取得し、ＭＦＰ１００を遠隔操作する遠隔操作アプリがインストールされているかどうかを確認する。なお、機器情報は、携帯端末２００にインストールされている遠隔操作アプリがＭＦＰ１００の機種やファームウェアのバージョン等に適合するかどうかを確認するために取得される。ちなみに、インストールされている遠隔操作アプリがＭＦＰ１００の機種やファームウェアのバージョン等に適合する場合、使用に際して問題を生じないことを確認できる。
【００１８】
また、携帯端末２００は、ＭＦＰ１００を遠隔操作する遠隔操作アプリがインストールされていなければ、ＭＦＰ１００からの距離がたとえば１２ｍ程度に到達すると、ＭＦＰ１００から取得したＵＲＬが示すＷｅｂページから遠隔操作アプリをダウンロードし、さらにインストールする。また、携帯端末２００は、遠隔操作アプリをインストールすると、後述の図２に示すパネル部２０２にＭＦＰ１００の機能選択等の設定を促す内容を表示させ、設定内容を受け付ける。また、携帯端末２００は、ＭＦＰ１００からの距離がたとえば１ｍ程度に到達すると、パネル部２０２を介して受け付けた設定内容をＭＦＰ１００に送信する。なお、ＭＦＰ１００からの距離については、上述した２０ｍ、１２ｍ、１ｍに限るものではなく、ＭＦＰ１００の設置環境に応じて任意に設定できる。
【００１９】
次に、図２を参照し、ＭＦＰ１００及び携帯端末２００の構成の一例について説明する。まず、ＭＦＰ１００は、プリンター部１０１、Ｉ／Ｆ（インターフェース）１０２、信号送受信部１０３、ビーコン発信部１０４、パネル部１０５、ＨＤＤ１０６を制御する制御部１１０を備えている。なお、ＭＦＰ１００は、スキャナー部、ＦＡＸ部等を備えていてもよい。
【００２０】
プリンター部１０１は、制御部１１０から出力される印刷データに基づき、図示しない用紙上に画像を印刷するデバイスである。Ｉ／Ｆ１０２は、信号送受信部１０３を介し携帯端末２００との通信を受け持つ。なお、Ｉ／Ｆ１０２の通信方式は、無線ＬＡＮのWi-Fi（登録商標）、Wi-Fi Direct（登録商標）、近距離通信のBluetooth（登録商標）等であってもよい。また、Ｉ／Ｆ１０２は、ネットワークを介し、コンテンツサーバーやウェブサーバー等との通信を受け持ってもよい。
【００２１】
ビーコン発信部１０４は、ビーコン信号を一定間隔（たとえば１秒間隔）で、かつ一定出力で発信する。パネル部１０５は、ＭＦＰ１００の印刷機能、コピー機能、ＦＡＸ機能、ネットワーク経由でのデータ送受信機能や、各種設定のための表示を行うタッチパネル等のデバイスである。ＨＤＤ１０６は、ＭＦＰ１００の種々の機能を提供するためのアプリケーションプログラム等を記憶している記憶デバイスである。また、ＨＤＤ１０６は、たとえば携帯端末２００や図示しないユーザー端末から登録された印刷ジョブを記憶するユーザーボックスを有している。
【００２２】
制御部１１０は、画像形成プログラムや制御プログラム等を実行してＭＦＰ１００全体の動作を制御するプロセッサーである。制御部１１０は、プリンター制御部１１１、通信制御部１１２、ビーコン制御部１１３、ＲＡＭ(Random Access Memory)１１４、ＲＯＭ（Read-Only Memory）１１５、機器情報管理部１１６、画像処理部１１７、パネル操作制御部１１８、ＨＤＤ制御部１１９、システム制御部１２０を備えている。また、これらは、データバス１２１に接続されている。プリンター制御部１１１は、プリンター部１０１の印刷動作を制御する。通信制御部１１２は、Ｉ／Ｆ１０２、及び信号送受信部１０３を介し、携帯端末２００とのデータ等の送受信の制御を行う。また、通信制御部１１２は、Ｉ／Ｆ１０２を介し、ネットワーク経由でのデータ等の送受信の制御を行う。
【００２３】
ビーコン制御部１１３は、ビーコン発信部１０４のビーコン信号の発信動作を制御する。この場合、ビーコン制御部１１３は、ビーコン発信部１０４に対し、一定間隔（たとえば１秒間隔）で、かつ一定出力で発信させるように制御する。ＲＡＭ１１４は、プログラムを実行するためのワークメモリーである。ＲＯＭ１１５には、各部の動作チェック等を行う制御プログラムが記憶されている。機器情報管理部１１６は、ＭＦＰ１００に搭載されている基本機能や追加機能の情報、それぞれの機能のファームウェアのバージョン情報等を機器情報として管理する。画像処理部１１７は、たとえばＨＤＤ１０６のユーザーボックスに登録された印刷ジョブに対する画像処理（ラスタライズ）を行う。なお、システム制御部１２０は、画像処理部１１７が画像処理した印刷データを、一旦、ＲＡＭ１１４に記憶させる。
【００２４】
パネル操作制御部１１８は、パネル部１０５の表示動作を制御する。また、パネル操作制御部１１８は、パネル部１０５を介し、印刷、コピー、ＦＡＸ、ネットワーク経由でのデータ送受信等の開始の設定等を受け付ける。ＨＤＤ制御部１１９は、ＨＤＤ１０６に対するデータの読み込み及び書き込み等を制御する。システム制御部１２０は、各部の連携動作を制御する。また、システム制御部１２０は、パネル部１０５、又は携帯端末２００からのたとえば印刷指示を受け付けると、画像処理部１１７に対する画像処理の指示、プリンター制御部１１１に対するプリンター部１０１による印刷の指示等を行う。また、システム制御部１２０は、詳細については後述するが、携帯端末２００からの遠隔操作アプリに基づいた遠隔指示に従い、印刷機能、コピー機能、ＦＡＸ機能、スキャナー機能、ネットワーク経由でのデータ送受信機能のいずれかを実行させる。
【００２５】
携帯端末２００は、アンテナ２０１、パネル部２０２を制御する制御部２１０を備えている。アンテナ２０１は、図示しない無線基地局との間での電波を送受信する。また、アンテナ２０１は、ＭＦＰ１００が発信するビーコン信号を受信する。また、アンテナ２０１は、ＭＦＰ１００との間での無線通信に用いる電波を送受信する。すなわち、アンテナ２０１は、通信方式がWi-Fi（登録商標）の場合、図示しない無線ＬＡＮルーターを介し、ＭＦＰ１００との間で電波を送受信する。また、アンテナ２０１は、通信方式がＰ２Ｐ（Peer to Peer）（例えば、Wi-Fi Direct（登録商標）、Bluetooth（登録商標））の場合、ＭＦＰ１００の信号送受信部１０３との間で電波を送受信する。
【００２６】
制御部２１０は、制御プログラム等を実行して携帯端末２００全体の動作を制御するプロセッサーである。制御部２１０は、通信制御部２１１、ＲＡＭ２１２、ＲＯＭ２１３、信号強度検出部２１４、アプリ管理部２１５、パネル操作制御部２１６、システム制御部２１７を備えている。また、これらは、データバス２１８に接続されている。
【００２７】
通信制御部２１１は、アンテナ２０１を介し、ＭＦＰ１００との間でのデータ等の送受信の制御を行う。また、通信制御部２１１は、アンテナ２０１を介し、ネットワーク経由でのデータ等の送受信の制御を行う。ＲＡＭ２１２は、プログラムを実行するためのワークメモリーである。ＲＯＭ２１３には、各部の動作チェック等を行う制御プログラムが記憶されている。信号強度検出部２１４は、ＭＦＰ１００が発信するビーコン信号の強度（dBm）を検出する。アプリ管理部２１５は、携帯端末２００にインストールされている各種アプリを管理する。パネル操作制御部２１６は、パネル部２０２の表示動作を制御する。
【００２８】
システム制御部２１７は、各部の連携動作を制御する。また、システム制御部２１７は、詳細については後述するが、信号強度検出部２１４が検出したビーコン信号の強度（dBm）に基づき、ＭＦＰ１００からの距離を求め、設定された距離に達する度に、ＭＦＰ１００を遠隔操作する遠隔操作アプリがインストールされているかどうかの確認、遠隔操作アプリのダウンロード、設定内容の送信等を順次実行する。
【００２９】
次に、図３を参照し、携帯端末２００のシステム制御部２１７がＭＦＰ１００までの距離を判断する際に参照する距離判断グラフの一例について説明する。すなわち、ＭＦＰ１００が発信するビーコン信号の強度（dBm）は、距離の２乗に反比例して減衰する。ここで、システム制御部２１７は、信号強度検出部２１４がビーコン信号の強度（dBm）をたとえば−６７dBm(0.00000001mW)と検出した場合、距離判断グラフ２２０からＭＦＰ１００までの距離をたとえば２０ｍと判断する。また、システム制御部２１７は、信号強度検出部２１４がビーコン信号の強度（dBm）をたとえば−６３dBm(0.00000005mW)と検出した場合、距離判断グラフ２２０からＭＦＰ１００までの距離をたとえば１２ｍと判断する。また、システム制御部２１７は、信号強度検出部２１４がビーコン信号の強度（dBm）をたとえば−３０dBm(0.001mW)と検出した場合、距離判断グラフ２２０からＭＦＰ１００までの距離をたとえば１ｍと判断する。
【００３０】
次に、図４を参照し、携帯端末２００側での遠隔操作アプリのインストール等の処理について説明する。なお、以下では、信号強度検出部２１４が検出したビーコン信号の強度（dBm）がたとえば−６７dBm(0.00000001mW)以上、且つ−６３dBm(0.00000005mW)未満である場合のレベルを第１のレベルとし、信号強度検出部２１４が検出したビーコン信号の強度（dBm）がたとえば−６３dBm(0.00000005mW)以上、且つ−３０dBm(0.001mW)未満である場合のレベルを第２のレベルとし、信号強度検出部２１４が検出したビーコン信号の強度（dBm）がたとえば−３０dBm(0.001mW)以上である場合のレベルを第３のレベルとする。また、以下では、たとえばＭＦＰ１００側に移動する途中で携帯端末２００から印刷データをＭＦＰ１００に送信し、携帯端末２００からＭＦＰ１００に対して印刷指示を出す場合として説明する。
【００３１】
（ステップＳ１０１）
システム制御部２１７は、ビーコン信号を受信したかどうかを判断する。
この場合、システム制御部２１７は、通信制御部２１１からビーコン信号を受信したことを知らせる通知が無ければビーコン信号を受信していないと判断する（ステップＳ１０１：Ｎｏ）。
これに対し、システム制御部２１７は、通信制御部２１１からビーコン信号を受信したことを知らせる通知が有ればビーコン信号を受信したと判断し（ステップＳ１０１：Ｙｅｓ）、ステップＳ１０２に移行する。
【００３２】
（ステップＳ１０２）
システム制御部２１７は、ビーコン信号の強度（dBm）を検出させる。
この場合、システム制御部２１７は、信号強度検出部２１４に対し、ビーコン信号の強度（dBm）を検出させる。
このとき、信号強度検出部２１４は、ＭＦＰ１００から一定間隔（たとえば１秒間隔）で発信されるビーコン信号の強度（dBm）を、一定間隔（たとえば１秒間隔）で検出し、システム制御部２１７に通知する。
【００３３】
（ステップＳ１０３）
システム制御部２１７は、検出結果を受け取ったかどうかを判断する。
この場合、システム制御部２１７は、信号強度検出部２１４が検出したビーコン信号の強度（dBm）を受け取っていなければ検出結果を受け取っていないと判断する（ステップＳ１０３：Ｎｏ）。
これに対し、システム制御部２１７は、信号強度検出部２１４が検出したビーコン信号の強度（dBm）を受け取っていれば検出結果を受け取ったと判断し（ステップＳ１０３：Ｙｅｓ）、ステップＳ１０４に移行する。
このとき、システム制御部２１７は、ビーコン信号に含まれているＩＰアドレスや、ＵＲＬ等のアクセス情報を取得する。
また、システム制御部２１７は、無線通信アプリを起動させる。
【００３４】
（ステップＳ１０４）
システム制御部２１７は、信号強度検出部２１４が検出したビーコン信号の強度（dBm）が第１のレベルかどうかを判断する。
この場合、システム制御部２１７は、信号強度検出部２１４が検出したビーコン信号の強度（dBm）を確認し、たとえば−６７dBm(0.00000001mW)より小さい場合、第１のレベルでないと判断する（ステップＳ１０４：Ｎｏ）。
これに対し、システム制御部２１７は、信号強度検出部２１４が検出したビーコン信号の強度（dBm）を確認し、たとえば−６７dBm(0.00000001mW)以上、且つ−６３dBm(0.00000005mW)未満であるとき、第１のレベルである判断し（ステップＳ１０４：Ｙｅｓ）、ステップＳ１０５に移行する。
【００３５】
（ステップＳ１０５）
システム制御部２１７は、ＭＦＰ１００に対し、機器情報の送信を要求する。
この場合、システム制御部２１７は、通信制御部２１１に対し、起動済みの無線通信アプリの手順に従い、ビーコン信号から取得したＩＰアドレスを元に、機器情報の送信の要求を指示する。
このとき、通信制御部２１１は、アンテナ２０１を介し、無線通信により、ＭＦＰ１００に対して機器情報の送信を要求する。
ＭＦＰ１００側では、通信制御部１１２が信号送受信部１０３を介して機器情報の送信の要求を受け取ると、機器情報管理部１１６が管理している機器情報をシステム制御部１２０が読み出し、通信制御部１１２、及び信号送受信部１０３を介して送信する。
なお、ＭＦＰ１００側では、機器情報の送信の要求を受け取ると、携帯端末２００からのユーザーＩＤ(IDentification)や、パスワード等の認証情報を受け取り、ログイン処理でのユーザー認証を行ってもよい。
【００３６】
（ステップＳ１０６）
システム制御部２１７は、ＭＦＰ１００からの機器情報を受け取ったかどうかを判断する。
この場合、システム制御部２１７は、通信制御部２１１からの機器情報を受け取ったことを示す通知が無ければＭＦＰ１００からの機器情報を受け取っていないと判断する（ステップＳ１０６：Ｎｏ）。
これに対し、システム制御部２１７は、通信制御部２１１からの機器情報を受け取ったことを示す通知が有ればＭＦＰ１００からの機器情報を受け取ったと判断し（ステップＳ１０６：Ｙｅｓ）、ステップＳ１０７に移行する。
【００３７】
（ステップＳ１０７）
システム制御部２１７は、遠隔操作アプリがインストール済みかどうかを判断する。
この場合、システム制御部２１７は、アプリ管理部２１５が管理しているインストール済みの各種アプリに、ＭＦＰ１００から受け取った機器情報に対応する遠隔操作アプリが有るかどうかを確認し、有る場合は遠隔操作アプリがインストール済みであると判断し（ステップＳ１０７：Ｙｅｓ）、ステップＳ１０８に移行する。
これに対し、システム制御部２１７は、アプリ管理部２１５が管理しているインストール済みの各種アプリに、ＭＦＰ１００から受け取った機器情報に対応する遠隔操作アプリが有るかどうかを確認し、無い場合は遠隔操作アプリがインストール済みでないと判断し（ステップＳ１０７：Ｎｏ）、ステップＳ１０９に移行する。
【００３８】
（ステップＳ１０８）
システム制御部２１７は、信号強度検出部２１４が検出したビーコン信号の強度（dBm）が第２のレベルかどうかを判断する。
この場合、システム制御部２１７は、信号強度検出部２１４が検出したビーコン信号の強度（dBm）を確認し、たとえば−６３dBm(0.00000005mW)より小さいか、−３０dBm(0.001mW)以上の場合、第２のレベルでないと判断する（ステップＳ１０８：Ｎｏ）。
これに対し、システム制御部２１７は、信号強度検出部２１４が検出したビーコン信号の強度（dBm）を確認し、たとえば−６３dBm(0.00000005mW)以上、且つ−３０dBm(0.001mW)未満であるとき、第２のレベルである判断し（ステップＳ１０８：Ｙｅｓ）、ステップＳ１１２に移行する。
【００３９】
（ステップＳ１０９）
システム制御部２１７は、信号強度検出部２１４が検出したビーコン信号の強度（dBm）が第２のレベルかどうかを判断する。
この場合、システム制御部２１７は、信号強度検出部２１４が検出したビーコン信号の強度（dBm）を確認し、たとえば−６３dBm(0.00000005mW)より小さいか、−３０dBm(0.001mW)以上の場合、第２のレベルでないと判断する（ステップＳ１０９：Ｎｏ）。
これに対し、システム制御部２１７は、信号強度検出部２１４が検出したビーコン信号の強度（dBm）を確認し、たとえば−６３dBm(0.00000005mW)以上、且つ−３０dBm(0.001mW)未満であるとき、第２のレベルである判断し（ステップＳ１０９：Ｙｅｓ）、ステップＳ１１０に移行する。
【００４０】
（ステップＳ１１０）
システム制御部２１７は、遠隔操作アプリのダウンロードの要求を指示する。
この場合、システム制御部２１７は、通信制御部２１１に対し、ビーコン信号に含まれているＵＲＬが示すＷｅｂページから遠隔操作アプリのダウンロードの要求を指示する。
【００４１】
（ステップＳ１１１）
システム制御部２１７は、遠隔操作アプリのダウンロードが完了したかどうかを判断する。
この場合、システム制御部２１７は、通信制御部２１１からのダウンロードの完了を示す通知が無ければ遠隔操作アプリのダウンロードが完了していないと判断する（ステップＳ１１１：Ｎｏ）。
これに対し、システム制御部２１７は、通信制御部２１１からのダウンロードの完了を示す通知が有れば遠隔操作アプリのダウンロードが完了したと判断し（ステップＳ１１１：Ｙｅｓ）、ステップＳ１１２に移行する。
このとき、システム制御部２１７は、ダウンロードした遠隔操作アプリをインストールする。
【００４２】
（ステップＳ１１２）
システム制御部２１７は、パネル部２０２に設定画面を表示させる。
この場合、システム制御部２１７は、遠隔操作アプリを起動させ、遠隔操作アプリの手順に従い、パネル操作制御部２１６を介し、パネル部２０２にＭＦＰ１００の機能選択等の設定を促す内容を表示させる。
また、システム制御部２１７は、パネル操作制御部２１６に対し、設定内容を受け付けさせる。
【００４３】
（ステップＳ１１３）
システム制御部２１７は、パネル操作制御部２１６が設定内容を受け付けたかどうかを判断する。
この場合、システム制御部２１７は、パネル操作制御部２１６からの設定内容を受け付けたことを示す通知が無ければパネル操作制御部２１６が設定内容を受け付けていないと判断する（ステップＳ１１３：Ｎｏ）。
これに対し、システム制御部２１７は、パネル操作制御部２１６からの設定内容を受け付けたことを示す通知が有ればパネル操作制御部２１６が設定内容を受け付けたと判断し（ステップＳ１１３：Ｙｅｓ）、ステップＳ１１４に移行する。
【００４４】
（ステップＳ１１４）
システム制御部２１７は、信号強度検出部２１４が検出したビーコン信号の強度（dBm）が第３のレベルかどうかを判断する。
この場合、システム制御部２１７は、信号強度検出部２１４が検出したビーコン信号の強度（dBm）を確認し、たとえば−３０dBm(0.001mW)より小さい場合、第３のレベルでないと判断する（ステップＳ１１４：Ｎｏ）。
これに対し、システム制御部２１７は、信号強度検出部２１４が検出したビーコン信号の強度（dBm）を確認し、たとえば−３０dBm(0.001mW)以上であるとき、第３のレベルである判断し（ステップＳ１１４：Ｙｅｓ）、ステップＳ１１５に移行する。
【００４５】
（ステップＳ１１５）
システム制御部２１７は、パネル操作制御部２１６が受け付けた設定内容の送信を指示する。
この場合、システム制御部２１７は、通信制御部２１１に対し、パネル操作制御部２１６が受け付けた設定内容の送信を指示する。
すなわち、たとえば設定内容が、印刷データの送信と、印刷の指示であるとする。この場合、システム制御部２１７は、通信制御部２１１を介し、ＭＦＰ１００に指定された印刷データを送信する。また、システム制御部２１７は、設定内容に、印刷枚数、モノクロ印刷又はカラー印刷、フォントサイズ等の設定情報が含まれている場合、これらの設定情報を、通信制御部２１１を介し、ＭＦＰ１００に送信する。
このとき、ＭＦＰ１００側では、画像処理部１１７、及びプリンター制御部１１１等に対し、印刷開始を指示する。
【００４６】
このように、本実施形態では、ＭＦＰ１００（電子機器）により、電波を一定出力で送信し、携帯端末２００により、電波を受信し、ＭＦＰ１００（電子機器）との距離に応じた電波の強度の変化に合わせ、ＭＦＰ１００（電子機器）に対応した遠隔操作アプリがインストールされているかどうかを確認し、遠隔操作アプリがインストールされていない場合、ＭＦＰ１００（電子機器）に対応した遠隔操作アプリをダウンロードする。これにより、ＭＦＰ１００（電子機器）に対応した遠隔操作アプリを、ＭＦＰ１００（電子機器）との距離に応じた電波の強度の変化に合わせて自動的にダウンロードでき、遠隔操作アプリを意識せずに更新できるので、遠隔操作アプリの管理を容易に行うことができる。なお、ＭＦＰ１００（電子機器）に対応した遠隔操作アプリとは、ＭＦＰ１００（電子機器）の機種やファームウェアのバージョン等に適合し、使用に際して問題を生じないアプリを意味する。
【００４７】
なお、図４に示すステップＳ１０８において、システム制御部２１７は、信号強度検出部２１４が検出したビーコン信号の強度（dBm）を確認し、第２のレベル又は第３のレベルであると判断すると、ステップＳ１１２に移行してもよい。また、図４に示すステップＳ１０９において、システム制御部２１７は、信号強度検出部２１４が検出したビーコン信号の強度（dBm）を確認し、第２のレベル又は第３のレベルであると判断すると、ステップＳ１１０に移行してもよい。これは、ステップＳ１０５〜ステップＳ１０７の間にユーザーが第２のレベルに相当する範囲を通り過ぎて第３のレベルに相当する範囲に入ることを考慮したものである。
【００４８】
また、本実施形態では、電子機器をＭＦＰ１００に適用した場合として説明したが、電子機器を多機能プリンター等の他の画像形成装置に適用してもよい。また、電子機器をＴＶ（Television）等の家電に適用してもよい。
【符号の説明】
【００４９】
１００  ＭＦＰ
１０１  プリンター部
１０２  Ｉ／Ｆ
１０３  信号送受信部
１０４  ビーコン発信部
１０５、２０２  パネル部
１０６  ＨＤＤ
１１０、２１０  制御部
１１１  プリンター制御部
１１２、２１１  通信制御部
１１３  ビーコン制御部
１１４、２１２  ＲＡＭ
１１５、２１３  ＲＯＭ
１１６  機器情報管理部
１１７  画像処理部
１１８、２１６  パネル操作制御部
１１９  ＨＤＤ制御部
１２０、２１７  システム制御部
１２１、２１８  データバス
２００  携帯端末
２０１  アンテナ
２１４  信号強度検出部
２１５  アプリ管理部
２２０  距離判断グラフ
【図１】
2019106620.tif 000003
【図２】
2019106620.tif 000004
【図３】
2019106620.tif 000005
【図４】
2019106620.tif 000006